(57)【要約】【課題】耐振動性を向上可能な蓄電装置及び蓄電装置の製造方法を提供すること。【解決手段】蓄電装置は、正極集電板１５及び負極集電板１６を交互に介して積層された複数の蓄電セルを含むセルスタックと、積層方向に沿って延在し、高さ方向において正極集電板１５に接合された正極バスバー４と、積層方向に沿って延在し、高さ方向において負極集電板１６に接合された負極バスバー５と、を備え、複数の蓄電セルのそれぞれは、積層方向に沿って積層された複数のバイポーラ電極と、複数のバイポーラ電極を保持する保持部材と、を有し、正極バスバー４は、幅方向において複数の蓄電セルのうちの蓄電セル７Ａの保持部材９Ａを係止するための凸部４１を有し、保持部材９Ａは、凸部４１と幅方向において対向する凹部９１Ａを有する。【選択図】図７
2019186117.tif 000002
【特許請求の範囲】
【請求項１】
第１集電板及び第２集電板を交互に介して第１方向に沿って積層された複数の蓄電セルを含むセルスタックと、
前記第１方向に沿って延在し、前記第１方向と交差する第２方向において前記第１集電板に接合された第１バスバーと、
前記第１方向に沿って延在し、前記第２方向において前記第２集電板に接合された第２バスバーと、
を備え、
前記複数の蓄電セルのそれぞれは、前記第１方向に沿って積層された複数の電極と、前記複数の電極を保持する保持部材と、を有し、
前記第１バスバーは、前記第１方向及び前記第２方向と交差する第３方向において前記複数の蓄電セルのうちの第１蓄電セルの第１保持部材を係止するための第１係止部を有し、
前記第１保持部材は、前記第１係止部と前記第３方向において対向する第１被係止部を有する、蓄電装置。
【請求項２】
前記第１バスバーは、前記第２方向に沿って前記第１保持部材に向けて突出する凸部を有し、
前記第１保持部材には、前記凸部と嵌り合う凹部が設けられ、
前記第１係止部は、前記凸部であり、
前記第１被係止部は、前記凹部である、請求項１に記載の蓄電装置。
【請求項３】
前記第１保持部材は、前記第２方向に沿って前記第１バスバーに向けて突出する凸部を有し、
前記第１バスバーには、前記凸部と嵌り合う凹部が設けられ、
前記第１係止部は、前記凹部であり、
前記第１被係止部は、前記凸部である、請求項１に記載の蓄電装置。
【請求項４】
前記第１バスバーには、前記第１バスバーを前記第２方向に貫通する貫通孔が設けられ、
前記第１保持部材は、前記第２方向に沿って前記第１バスバーに向けて突出するとともに、前記貫通孔に挿通される突出部を有し、
前記第１係止部は、前記貫通孔を画定する内周面であり、
前記第１被係止部は、前記突出部である、請求項１に記載の蓄電装置。
【請求項５】
前記第１バスバーは、前記第１保持部材の前記第２方向における頂面に沿って設けられる第１部分と、前記第１保持部材の前記第３方向における側面に沿って設けられる第２部分と、を有し、
前記第１係止部は、前記第２部分であり、
前記第１被係止部は、前記側面である、請求項１に記載の蓄電装置。
【請求項６】
前記第１バスバーは、前記第３方向における端面を有し、
前記第１保持部材は、前記第２方向に沿って突出するとともに、前記端面と前記第３方向において対向する突出部を有し、
前記第１係止部は、前記端面であり、
前記第１被係止部は、前記突出部である、請求項１に記載の蓄電装置。
【請求項７】
前記突出部は、前記第１保持部材の前記第３方向における端部に設けられる、請求項６に記載の蓄電装置。
【請求項８】
前記第２バスバーは、前記第３方向において前記複数の蓄電セルのうちの第２蓄電セルの第２保持部材を係止するための第２係止部を有し、
前記第２保持部材は、前記第２係止部と前記第３方向において対向する第２被係止部を有する、請求項１〜請求項７のいずれか一項に記載の蓄電装置。
【請求項９】
前記第１バスバーは、前記第３方向において前記第２保持部材を係止するための第３係止部を有し、
前記第２保持部材は、前記第３係止部と前記第３方向において対向する第３被係止部を有する、請求項８に記載の蓄電装置。
【請求項１０】
第１集電板及び第２集電板を交互に介して複数の蓄電セルを第１方向に沿って積層することでセルスタックを形成する工程と、
前記セルスタックの前記第１方向における両端に１対のエンドプレートを配置する工程と、
前記セルスタックの前記第１方向と交差する第２方向における頂面に、前記第１方向に沿って延在する第１バスバー及び第２バスバーを配置する工程と、
前記第１バスバーと前記第１集電板とを接合するとともに、前記第２バスバーと前記第２集電板とを接合する工程と、
を備え、
前記複数の蓄電セルは、複数の第１蓄電セルと複数の第２蓄電セルとを含み、
前記複数の第１蓄電セル及び前記複数の第２蓄電セルは、前記第１方向に沿って１つずつ交互に配置され、
前記複数の第１蓄電セルのそれぞれは、前記第１方向に沿って積層された複数の第１電極と、前記複数の第１電極を保持する第１保持部材と、を有し、
前記複数の第２蓄電セルのそれぞれは、前記第１方向に沿って積層された複数の第２電極と、前記複数の第２電極を保持する第２保持部材と、を有し、
前記第１バスバーは、前記第１方向及び前記第２方向と交差する第３方向において前記第１保持部材を係止するための第１係止部を有し、
前記第１保持部材は、前記第１係止部と前記第３方向において対向する第１被係止部を有し、
前記第２バスバーは、前記第３方向において前記第２保持部材を係止するための第２係止部を有し、
前記第２保持部材は、前記第２係止部と前記第３方向において対向する第２被係止部を有し、
前記第１バスバーを配置する際に、前記第１係止部と前記第１被係止部とを前記第３方向において当接させ、前記第２バスバーを配置する際に、前記第２係止部と前記第２被係止部とを前記第３方向において当接させることにより、前記複数の蓄電セルの前記第３方向における位置が揃えられる、蓄電装置の製造方法。
【発明の詳細な説明】
【技術分野】
【０００１】
本発明は、蓄電装置及び蓄電装置の製造方法に関する。
【背景技術】
【０００２】
従来の蓄電装置としては、例えば特許文献１に記載されている電池ユニットが知られている。特許文献１に記載の電池ユニットは、複数のバイポーラ電池と、バイポーラ電池を挟むようにバイポーラ電池の両側に配置された集電体と、を備えている。バイポーラ電池の一方側に配置された集電体は、正極集電電極として機能し、バイポーラ電池の積層方向に延在する正極接続導体と電気的に接続されている。バイポーラ電池の他方側に配置された集電体は、負極集電電極として機能し、バイポーラ電池の積層方向に延在する負極接続導体と電気的に接続されている。
【先行技術文献】
【特許文献】
【０００３】
【特許文献１】特開２００９−１１７１０５号公報
【発明の概要】
【発明が解決しようとする課題】
【０００４】
特許文献１に記載の電池ユニット（蓄電装置）では、各接続導体（バスバー）は、集電板と溶接等によって接続されている。蓄電装置が車両等に搭載された場合、振動によって、バイポーラ電池（蓄電セル）の積層方向と交差する方向において、各蓄電セルに力が加わることがある。この場合、互いに隣り合う蓄電セルの間に設けられた集電板にも同方向に力が加わるので、バスバーと集電板との接合部にせん断応力が加わり、集電板がバスバーから剥離するおそれがある。
【０００５】
本発明の目的は、耐振動性を向上可能な蓄電装置及び蓄電装置の製造方法を提供することである。
【課題を解決するための手段】
【０００６】
本発明の一側面に係る蓄電装置は、第１集電板及び第２集電板を交互に介して第１方向に沿って積層された複数の蓄電セルを含むセルスタックと、第１方向に沿って延在し、第１方向と交差する第２方向において第１集電板に接合された第１バスバーと、第１方向に沿って延在し、第２方向において第２集電板に接合された第２バスバーと、を備える。複数の蓄電セルのそれぞれは、第１方向に沿って積層された複数の電極と、複数の電極を保持する保持部材と、を有する。第１バスバーは、第１方向及び第２方向と交差する第３方向において複数の蓄電セルのうちの第１蓄電セルの第１保持部材を係止するための第１係止部を有する。第１保持部材は、第１係止部と第３方向において対向する第１被係止部を有する。
【０００７】
この蓄電装置では、第１バスバーの第１係止部が第３方向において第１保持部材の第１被係止部と対向している。このため、振動によって第３方向に沿って第１蓄電セルに力が加わったとしても、第１係止部に第１被係止部が当接することで、第１保持部材の第３方向における移動が第１バスバーの第１係止部によって規制される。これにより、第１蓄電セルが第１バスバーに対して第３方向に移動することが抑制され、第１蓄電セルと隣り合う第１集電板も第１バスバーに対して第３方向に移動することが抑制される。したがって、第１バスバーと第１集電板との接合部に第３方向に沿って加わるせん断応力を低減することができる。その結果、蓄電装置の耐振動性を向上させることが可能となる。
【０００８】
第１バスバーは、第２方向に沿って第１保持部材に向けて突出する凸部を有してもよい。第１保持部材には、凸部と嵌り合う凹部が設けられてもよい。第１係止部は、凸部であってもよく、第１被係止部は、凹部であってもよい。この場合、第１バスバーの凸部と第１保持部材の凹部とが嵌り合うので、第１蓄電セルが第１バスバーに対して第３方向に移動することをより確実に抑制することができる。
【０００９】
第１保持部材は、第２方向に沿って第１バスバーに向けて突出する凸部を有してもよい。第１バスバーには、凸部と嵌り合う凹部が設けられてもよい。第１係止部は、凹部であってもよく、第１被係止部は、凸部であってもよい。この場合、第１保持部材の凸部と第１バスバーの凹部とが嵌り合うので、第１蓄電セルが第１バスバーに対して第３方向に移動することをより確実に抑制することができる。
【００１０】
第１バスバーには、第１バスバーを第２方向に貫通する貫通孔が設けられてもよい。第１保持部材は、第２方向に沿って第１バスバーに向けて突出するとともに、貫通孔に挿通される突出部を有してもよい。第１係止部は、貫通孔を画定する内周面であってもよく、第１被係止部は、突出部であってもよい。この場合、第１バスバーの貫通孔に第１保持部材の突出部が挿通されるので、第３方向において、突出部が貫通孔の内周面に当接し得る。このため、第１保持部材の第３方向における移動が第１バスバーの貫通孔によって規制される。これにより、第１蓄電セルが第１バスバーに対して第３方向に移動することをより確実に抑制することができる。
【００１１】
第１バスバーは、第１保持部材の第２方向における頂面に沿って設けられる第１部分と、第１保持部材の第３方向における側面に沿って設けられる第２部分と、を有してもよい。第１係止部は、第２部分であってもよく、第１被係止部は、側面であってもよい。この場合、第１保持部材の側面が第１バスバーの第２部分に当接することで、第１保持部材の第３方向における移動が第１バスバーの第２部分によって規制される。これにより、第１蓄電セルが第１バスバーに対して第３方向に移動することをより確実に抑制することができる。
【００１２】
第１バスバーは、第３方向における端面を有してもよい。第１保持部材は、第２方向に沿って突出するとともに、端面と第３方向において対向する突出部を有してもよい。第１係止部は、端面であってもよく、第１被係止部は、突出部であってもよい。この場合、第１保持部材の突出部が第１バスバーの端面に当接することで、第１保持部材の第３方向における移動が第１バスバーの端面によって規制される。これにより、第１蓄電セルが第１バスバーに対して第３方向に移動することをより確実に抑制することができる。
【００１３】
突出部は、第１保持部材の第３方向における端部に設けられてもよい。蓄電装置が筐体に収容されることがある。この場合、第１バスバーと筐体との間に、突出部が介在することで、第１バスバーと筐体とのクリアランス（離間距離）を確保することができる。これにより、第１バスバーが筐体に接触する可能性を低減することができる。
【００１４】
第２バスバーは、第３方向において複数の蓄電セルのうちの第２蓄電セルの第２保持部材を係止するための第２係止部を有してもよい。第２保持部材は、第２係止部と第３方向において対向する第２被係止部を有してもよい。この場合、第２バスバーの第２係止部が第３方向において第２保持部材の第２被係止部と対向している。このため、振動によって第３方向に沿って第２蓄電セルに力が加わったとしても、第２係止部に第２被係止部が当接することで、第２保持部材の第３方向における移動が第２バスバーの第２係止部により規制される。これにより、第２蓄電セルが第２バスバーに対して第３方向に移動することが抑制され、第２蓄電セルと隣り合う第２集電板も第２バスバーに対して第３方向に移動することが抑制される。したがって、第２バスバーと第２集電板との接合部に第３方向に沿って加わるせん断応力を低減することができる。その結果、蓄電装置の耐振動性をさらに向上させることが可能となる。
【００１５】
第１バスバーは、第３方向において第２保持部材を係止するための第３係止部を有してもよい。第２保持部材は、第３係止部と第３方向において対向する第３被係止部を有してもよい。この場合、第１バスバーの第３係止部が第３方向において第２保持部材の第３被係止部と対向している。このため、振動によって第３方向に沿って第２蓄電セルに力が加わったとしても、第３係止部に第３被係止部が当接することで、第２保持部材の第３方向における移動が第１バスバーの第３係止部によって規制される。これにより、第２蓄電セルが第１バスバーに対して第３方向に移動することが抑制され、第２蓄電セルと隣り合う第１集電板も第１バスバーに対して第３方向に移動することが抑制される。したがって、第１バスバーと第１集電板との接合部に第３方向に沿って加わるせん断応力を低減することができる。その結果、蓄電装置の耐振動性をより一層向上させることが可能となる。
【００１６】
本発明の別の側面に係る蓄電装置の製造方法は、第１集電板及び第２集電板を交互に介して複数の蓄電セルを第１方向に沿って積層することでセルスタックを形成する工程と、セルスタックの第１方向における両端に１対のエンドプレートを配置する工程と、セルスタックの第１方向と交差する第２方向における頂面に、第１方向に沿って延在する第１バスバー及び第２バスバーを配置する工程と、第１バスバーと第１集電板とを接合するとともに、第２バスバーと第２集電板とを接合する工程と、を備える。複数の蓄電セルは、複数の第１蓄電セルと複数の第２蓄電セルとを含み、複数の第１蓄電セル及び複数の第２蓄電セルは、第１方向に沿って１つずつ交互に配置される。複数の第１蓄電セルのそれぞれは、第１方向に沿って積層された複数の第１電極と、複数の第１電極を保持する第１保持部材と、を有する。複数の第２蓄電セルのそれぞれは、第１方向に沿って積層された複数の第２電極と、複数の第２電極を保持する第２保持部材と、を有する。第１バスバーは、第１方向及び第２方向と交差する第３方向において第１保持部材を係止するための第１係止部を有する。第１保持部材は、第１係止部と第３方向において対向する第１被係止部を有する。第２バスバーは、第３方向において第２保持部材を係止するための第２係止部を有する。第２保持部材は、第２係止部と第３方向において対向する第２被係止部を有する。第１バスバーを配置する際に、第１係止部と第１被係止部とを第３方向において当接させ、第２バスバーを配置する際に、第２係止部と第２被係止部とを第３方向において当接させることにより、複数の蓄電セルの第３方向における位置が揃えられる。
【００１７】
この蓄電装置の製造方法により製造された蓄電装置では、第１バスバーの第１係止部が第３方向において第１保持部材の第１被係止部と対向しており、第２バスバーの第２係止部が第３方向において第２保持部材の第２被係止部と対向している。このため、振動によって第３方向に沿って第１蓄電セルに力が加わったとしても、第１係止部に第１被係止部が当接することで、第１保持部材の第３方向における移動が第１バスバーの第１係止部によって規制される。これにより、第１蓄電セルが第１バスバーに対して第３方向に移動することが抑制され、第１蓄電セルと隣り合う第１集電板も第１バスバーに対して第３方向に移動することが抑制される。したがって、第１バスバーと第１集電板との接合部に第３方向に沿って加わるせん断応力を低減することができる。同様に、第２蓄電セルが第２バスバーに対して第３方向に移動することが抑制され、第２蓄電セルと隣り合う第２集電板も第２バスバーに対して第３方向に移動することが抑制される。したがって、第２バスバーと第２集電板との接合部に第３方向に沿って加わるせん断応力を低減することができる。その結果、蓄電装置の耐振動性を向上させることが可能となる。
【発明の効果】
【００１８】
本発明によれば、蓄電装置の耐振動性を向上させることができる。
【図面の簡単な説明】
【００１９】
【図１】図１は、一実施形態に係る蓄電装置を示す概略斜視図である。
【図２】図２は、図１に示された蓄電装置を部分的に示す平面図である。
【図３】図３の（ａ）及び図３の（ｂ）は、図２に示された蓄電セルを正極集電板及び負極集電板と共に示す斜視図である。
【図４】図４は、図１に示された蓄電セルの断面図である。
【図５】図５は、図１のＶ−Ｖ線断面図である。
【図６】図６は、図１のＶＩ−ＶＩ線断面図である。
【図７】図７の（ａ）は、図２のＶＩＩａ−ＶＩＩａ線断面図である。図７の（ｂ）は、図２のＶＩＩｂ−ＶＩＩｂ線断面図である。
【図８】図８は、図１に示された蓄電装置の製造方法を示す工程図である。
【図９】図９の（ａ）及び図９の（ｂ）は、第１変形例に係る蓄電装置の断面図である。
【図１０】図１０の（ａ）及び図１０の（ｂ）は、第２変形例に係る蓄電装置の断面図である。
【図１１】図１１は、第３変形例に係る蓄電装置が備えるセルスタックを部分的に示す平面図である。
【図１２】図１２は、第３変形例に係る蓄電装置の断面図である。
【図１３】図１３は、第４変形例に係る蓄電装置の断面図である。
【図１４】図１４は、第５変形例に係る蓄電装置の断面図である。
【図１５】図１５は、第６変形例に係る蓄電装置の断面図である。
【図１６】図１６は、図１５のＸＶＩ−ＸＶＩ線断面図である。
【図１７】図１７は、蓄電セルの積層方向における移動規制を説明するための断面図である。
【発明を実施するための形態】
【００２０】
以下、添付図面を参照しながら本発明の実施形態が詳細に説明される。図面の説明において、同一又は同等の要素には同一符号が用いられ、重複する説明は省略される。図面には必要に応じてＸＹＺ直交座標系が示される。
【００２１】
図１は、一実施形態に係る蓄電装置を示す概略斜視図である。図２は、図１に示された蓄電装置を部分的に示す平面図である。図３の（ａ）及び図３の（ｂ）は、図２に示された蓄電セルを正極集電板及び負極集電板と共に示す斜視図である。図４は、図１に示された蓄電セルの断面図である。図５は、図１のＶ−Ｖ線断面図である。図６は、図１のＶＩ−ＶＩ線断面図である。図１に示される蓄電装置１は、例えばフォークリフト、ハイブリッド自動車、又は電気自動車等の各種車両のバッテリとして用いられる。蓄電装置１は、セルスタック２と、１対のエンドプレート３と、正極バスバー４（第１バスバー）と、負極バスバー５（第２バスバー）と、カバー部材６と、を備えている。
【００２２】
セルスタック２は、複数の蓄電セル７を積層することにより構成されている。セルスタック２は、例えば１００体程度の蓄電セル７の集合体である。以下の説明では、蓄電セル７の積層方向をＸ軸方向（第１方向）とし、蓄電セル７の幅方向をＹ軸方向（第３方向）とし、蓄電セル７の高さ方向をＺ軸方向（第２方向）とする。また、以下の説明では、蓄電セル７の積層方向を単に「積層方向」、蓄電セル７の幅方向を単に「幅方向」、蓄電セル７の高さ方向を単に「高さ方向」と表現する。
【００２３】
蓄電セル７は、扁平な略直方体形状をなす単電池である。蓄電セル７は、例えばニッケル水素二次電池又はリチウムイオン二次電池等の二次電池であってもよく、電気二重層キャパシタであってもよい。蓄電セル７は、全固体電池であってもよい。本実施形態では、蓄電セル７がバイポーラ型のリチウムイオン二次電池である場合を例示する。図２に示されるように、本実施形態では、複数の蓄電セル７は、後述のように、複数の蓄電セル７Ａ（複数の第１蓄電セル）と、複数の蓄電セル７Ｂ（複数の第２蓄電セル）と、を含む。蓄電セル７Ａと蓄電セル７Ｂとが１つずつ積層方向に沿って交互に配置されている。なお、蓄電セル７Ａと蓄電セル７Ｂとで共通する部分については、蓄電セル７Ａと蓄電セル７Ｂとを区別することなく、蓄電セル７として説明する。
【００２４】
蓄電セル７は、図３の（ａ）、図３の（ｂ）及び図４にも示されるように、電極積層体８と、保持部材９と、を有している。電極積層体８は、複数のバイポーラ電極１０（複数の電極、複数の第１電極、複数の第２電極）がセパレータ１１を介して積層されてなる構造を有している。複数のバイポーラ電極１０は、積層方向に沿って積層されている。バイポーラ電極１０は、集電体１２と、集電体１２の一方の面に形成された正極層１３と、集電体１２の他方の面に形成された負極層１４と、を有している。
【００２５】
集電体１２は、略矩形状を呈するシート状の導電部材である。集電体１２は、例えば金属箔又は合金箔である。金属箔としては、例えば銅箔、アルミニウム箔、チタン箔又はニッケル箔が挙げられる。集電体１２が金属箔である場合、機械的強度を確保する観点から集電体１２としてアルミニウム箔が用いられてもよい。合金箔としては、例えばステンレス鋼箔又は上記金属の合金箔が挙げられる。集電体１２が合金箔及びアルミニウム箔以外の金属箔である場合、集電体１２の表面にアルミニウムが被覆されていてもよい。
【００２６】
正極層１３は、正極活物質と電解質とを含んでいる。正極活物質は、例えば複合酸化物、金属リチウム又は硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質又はゲル状電解質である。固体電解質は、ジルコニア又はβアルミナを含む。固体高分子電解質は、例えばポリエチレンオキシド（ＰＥＯ）、ポリプロピレンオキシド（ＰＰＯ）等のアルキレンオキシド系高分子化合物、又はこれらの共重合体を含む。ゲル状電解質は、流動性を完全に示さないか、流動性をほぼ完全に示さない電解質である。例えば２０℃におけるゲル状電解質の粘度は、０．１Ｐａ・Ｓ以上である。
【００２７】
正極層１３が固体高分子電解質を含む場合、正極層１３は、例えばイオン伝導性を高めるための支持塩、電子伝導性を高めるための導電助剤、粘度調整溶媒、及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、又はこれらの混合物である。導電助剤は、例えばアセチレンブラック、カーボンブラック、又はグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２８】
負極層１４は、負極活物質と電解質とを含んでいる。負極活物質は、例えば黒鉛、高配向性グラファイト、メソカーボンマイクロビーズ、ハードカーボン若しくはソフトカーボン等のカーボン、リチウム若しくはナトリウム等のアルカリ金属、金属化合物、リチウムと合金化可能な元素若しくはその化合物、又はホウ素添加炭素等である。リチウムと合金化可能な元素の例としては、シリコン（ケイ素）及びスズが挙げられる。負極層１４の電解質は、例えば正極層１３に含まれる電解質と同様である。
【００２９】
セパレータ１１は、互いに隣り合うバイポーラ電極１０同士を隔てる層状部材であり、略矩形状を呈している。セパレータ１１は、正極層１３及び負極層１４に含まれる電解質によって構成されている。セパレータ１１は、電解質を充填可能な多孔質膜であってもよい。セパレータ１１が固体電解質によって構成される場合、セパレータ１１は、略矩形の板状を呈していてもよい。
【００３０】
電極積層体８の積層方向の両端には、集電体１２がそれぞれ設けられている。電極積層体８の一端（図４の紙面右側の端）に位置する集電体１２には、正極層１３のみが形成されており、この集電体１２は蓄電セル７の正極端子として機能する。電極積層体８の他端（図４の紙面左側の端）に位置する集電体１２には、負極層１４のみが形成されており、この集電体１２は蓄電セル７の負極端子として機能する。
【００３１】
保持部材９は、電極積層体８（複数のバイポーラ電極１０）を保持する部材である。保持部材９は、電極積層体８の幅方向の両側面、頂面及び底面を囲む矩形枠状を呈している。保持部材９は、例えば絶縁性及び耐熱性を有する樹脂により形成されている。保持部材９を形成する樹脂としては、例えばポリイミド、ポリプロピレン（ＰＰ）、ポリフェニレンサルファイド（ＰＰＳ）、又はナイロン６６（ＰＡ６６）等が挙げられる。保持部材９は、バイポーラ電極１０を封止し、バイポーラ電極１０同士の短絡を防止する機能を合わせ持っている。
【００３２】
複数の蓄電セル７は、正極集電板１５（第１集電板）及び負極集電板１６（第２集電板）を交互に介して積層されている。正極集電板１５及び負極集電板１６は、蓄電セル７の主面と略同形の長方形状を呈する金属板である。蓄電セル７の主面は、電極積層体８の積層方向に交差する一対の面であり、具体的には、電極積層体８の積層方向の両端に位置する集電体１２の外側面である。正極集電板１５及び負極集電板１６は、例えば集電体１２と同じ金属材料で形成されている。正極集電板１５及び負極集電板１６は、蓄電セル７を積層方向に挟むように配置されている。正極集電板１５は、蓄電セル７の正極端子として機能する集電体１２の外側面に接触している。負極集電板１６は、蓄電セル７の負極端子として機能する集電体１２の外側面に接触している。
【００３３】
正極集電板１５は、平面視矩形状の本体部１５ａと、本体部１５ａと一体化された正極タブ１５ｂと、を有している。本体部１５ａは、正極端子として機能する集電体１２に接触する。正極タブ１５ｂは、正極バスバー４と接合される。正極タブ１５ｂは、幅方向の一方側において電極積層体８に対して高さ方向に突出している。正極タブ１５ｂの先端部は、蓄電セル７Ａの外側に屈曲し、蓄電セル７Ｂに向かって延びている。各正極集電板１５の正極タブ１５ｂの屈曲部分は、積層方向の一方側を向いて揃っている。そして、各正極集電板１５の正極タブ１５ｂの屈曲部分に対して正極バスバー４が溶接等により接合されている（図５参照）。正極集電板１５と正極バスバー４とは、溶接部Ｗ１により接合される。なお、正極タブ１５ｂの幅は、正極集電板１５の幅の半分よりも小さく、各正極集電板１５の正極タブ１５ｂの幅は互いに等しい。
【００３４】
負極集電板１６は、平面視矩形状の本体部１６ａと、本体部１６ａと一体化された負極タブ１６ｂと、を有している。本体部１６ａは、負極端子として機能する集電体１２に接触する。負極タブ１６ｂは、負極バスバー５と接合される。負極タブ１６ｂは、幅方向の他方側において電極積層体８に対して高さ方向に突出している。負極タブ１６ｂは、正極タブ１５ｂと高さ方向の同じ側に突出している。負極タブ１６ｂの先端部は、蓄電セル７Ｂの外側に屈曲し、蓄電セル７Ａに向かって延びている。負極タブ１６ｂの屈曲方向は、正極タブ１５ｂの屈曲方向と同じである。各負極集電板１６の負極タブ１６ｂの屈曲部分は、積層方向の一方側を向いて揃っている。そして、各負極集電板１６の負極タブ１６ｂの屈曲部分に対して負極バスバー５が溶接等により接合されている（図６参照）。負極集電板１６と負極バスバー５とは、溶接部Ｗ２により接合される。なお、負極タブ１６ｂの幅は、負極集電板１６の幅の半分よりも小さく、各負極集電板１６の負極タブ１６ｂの幅は互いに等しい。負極タブ１６ｂは、幅方向において正極タブ１５ｂから離間している。
【００３５】
図２に示されるように、本実施形態では、保持部材９の頂面９ａ上に、正極タブ１５ｂ及び負極タブ１６ｂのいずれか一方が設けられている。つまり、セルスタック２では、負極タブ１６ｂが設けられている保持部材９Ａ（蓄電セル７Ａ）と正極タブ１５ｂが設けられている保持部材９Ｂ（蓄電セル７Ｂ）とが積層方向に沿って交互に配置されている。
【００３６】
エンドプレート３は、積層方向への蓄電セル７の位置ずれを規制する拘束部材である。エンドプレート３は、セルスタック２における積層方向の両側に配置されている。エンドプレート３は、側面視Ｌ字状を呈している。エンドプレート３は、例えば金属又は合金により形成されている。各エンドプレート３同士は、カバー部材６によって連結され、エンドプレート３を介して積層方向に沿った拘束荷重がセルスタック２に付加される。各エンドプレート３同士は、ボルト及びナット等の締結部材により連結されていてもよい。この場合には、締結部材の締め付け力によって、エンドプレート３を介して積層方向に沿った拘束荷重がセルスタック２に付加される。
【００３７】
セルスタック２における積層方向の両端に位置する蓄電セル７とエンドプレート３との間には、絶縁緩衝部材１７がそれぞれ配置されている。絶縁緩衝部材１７は、蓄電セル７の膨張を吸収する機能を有する部材である。絶縁緩衝部材１７は、例えば積層方向から見て蓄電セル７の主面と同程度の面積を有する直方体形状を呈している。絶縁緩衝部材１７の形成材料としては、例えばＰＰ、ＰＰＳ又はＰＡ６６等が挙げられる。
【００３８】
正極バスバー４及び負極バスバー５のそれぞれは、図１に示されるように、積層方向に沿って延在している。正極バスバー４及び負極バスバー５は、セルスタック２に対して高さ方向の同じ側において幅方向に並んで配置されている。具体的には、正極バスバー４は、セルスタック２の頂面において幅方向の一方側に配置されている。負極バスバー５は、セルスタック２の頂面において幅方向の他方側に正極バスバー４から離間して配置されている。正極バスバー４は、各正極集電板１５と接合され、各正極集電板１５と電気的に接続されている。負極バスバー５は、各負極集電板１６と接合され、各負極集電板１６と電気的に接続されている。
【００３９】
正極バスバー４及び負極バスバー５は、例えば矩形の板状を呈している。正極バスバー４及び負極バスバー５の形成材料は、例えば銅、アルミニウム、チタン又はニッケル等の金属であってもよく、ステンレス鋼、或いは前述の金属の合金等であってもよい。
【００４０】
正極バスバー４の長手方向の一端には、セルスタック２を外部装置に接続するための取出端子が接続されてもよい。負極バスバー５の長手方向の一端には、セルスタック２を外部装置に接続するための取出端子が接続されてもよい。正極バスバー４は、幅方向において蓄電セル７Ａの位置ずれを規制する。負極バスバー５は、幅方向において蓄電セル７Ｂの位置ずれを規制する。各バスバーによる蓄電セル７の位置ずれの規制については、後述する。
【００４１】
カバー部材６は、高さ方向における蓄電セル７の位置を規定するための部材である。カバー部材６は、積層方向に沿って延在している。カバー部材６は、例えば金属又は合金によって形成されている。カバー部材６は、セルスタック２の頂面において、正極バスバー４及び負極バスバー５から離間した状態で、正極バスバー４と負極バスバー５との間に配置されている。カバー部材６は、積層方向に延在する本体部６ａと、本体部６ａの長手方向の両端部にそれぞれ設けられた１対の爪部６ｂと、を有している。爪部６ｂは、締結部材Ｅによりエンドプレート３の外側面に固定されている。これにより、カバー部材６がセルスタック２に対して係止され、１対のエンドプレート３を介して、積層方向に沿った拘束荷重がセルスタック２に付加される。
【００４２】
次に、図７の（ａ）及び図７の（ｂ）をさらに参照して、正極バスバー４及び負極バスバー５による蓄電セル７の位置ずれの規制を説明する。図７の（ａ）は、図２のＶＩＩａ−ＶＩＩａ線断面図である。図７の（ｂ）は、図２のＶＩＩｂ−ＶＩＩｂ線断面図である。
【００４３】
図５及び図７の（ａ）に示されるように、正極バスバー４は、正極バスバー４の底面４ａに設けられた複数の凸部４１を備えている。凸部４１は、高さ方向に沿って、底面４ａから保持部材９Ａ（第１保持部材）に向かって突出している。複数の凸部４１は、積層方向に沿って配列され、保持部材９（蓄電セル７）に対して１つ置きに設けられる。具体的には、凸部４１は、蓄電セル７Ａに対して設けられ、蓄電セル７Ｂに対しては設けられない。凸部４１は、高さ方向と交差する頂面４１ａと、幅方向と交差する側面４１ｂ，４１ｃと、積層方向と交差する側面４１ｄ，４１ｅと、を有している。
【００４４】
図６及び図７の（ｂ）に示されるように、負極バスバー５は、負極バスバー５の底面５ａに設けられた凸部５１を備えている。凸部５１は、高さ方向に沿って、底面５ａから保持部材９Ｂ（第２保持部材）に向かって突出している。複数の凸部５１は、積層方向に沿って配列され、保持部材９（蓄電セル７）に対して１つ置きに設けられる。具体的には、凸部５１は、蓄電セル７Ｂに対して設けられ、蓄電セル７Ａに対しては設けられない。凸部５１は、高さ方向と交差する頂面５１ａと、幅方向と交差する側面５１ｂ，５１ｃと、積層方向と交差する側面５１ｄ，５１ｅと、を有している。
【００４５】
保持部材９Ａの頂面９ａには、凹部９１Ａが設けられている。凹部９１Ａは、幅方向において負極タブ１６ｂとは反対側に設けられ、正極バスバー４（凸部４１）の下に位置する。凹部９１Ａは、正極バスバー４の凸部４１と互いに嵌り合う形状を有している。凹部９１Ａは、高さ方向と交差する底面９１ａと、幅方向と交差する側面９１ｂ，９１ｃと、積層方向と交差する側面９１ｄ，９１ｅと、を有している。
【００４６】
保持部材９Ｂの頂面９ａには、凹部９１Ｂが設けられている。凹部９１Ｂは、幅方向において正極タブ１５ｂとは反対側に設けられ、負極バスバー５（凸部５１）の下に位置する。凹部９１Ｂは、負極バスバー５の凸部５１と互いに嵌り合う形状を有している。凹部９１Ｂは、高さ方向と交差する底面９１ｆと、幅方向と交差する側面９１ｇ，９１ｈと、積層方向と交差する側面９１ｉ，９１ｊと、を有している。
【００４７】
蓄電装置１において、凸部４１は凹部９１Ａに嵌り合っている。つまり、側面９１ｂ，９１ｃは、幅方向において側面４１ｂ，４１ｃにそれぞれ対向するとともに当接している。この構成により、保持部材９Ａが、幅方向において移動することが抑制される。つまり、凸部４１は、幅方向において保持部材９Ａを係止する係止部（第１係止部）として機能し、凹部９１Ａは、幅方向において凸部４１と対向する被係止部（第１被係止部）として機能する。これにより、各蓄電セル７Ａが正極バスバー４に対して幅方向に移動することが抑制される。
【００４８】
また、蓄電装置１において、側面９１ｄ，９１ｅは、積層方向において側面４１ｄ，４１ｅにそれぞれ対向するとともに当接している。この構成により、保持部材９Ａが、積層方向において移動することが抑制される。つまり、凸部４１は、積層方向において保持部材９Ａを係止する係止部としても機能し、凹部９１Ａは、積層方向において凸部４１と対向する被係止部としても機能する。これにより、各蓄電セル７Ａが正極バスバー４に対して積層方向に移動することが抑制される。以上のことから、幅方向及び積層方向において、正極バスバー４に対する蓄電セル７Ａの相対的な位置が規定される。
【００４９】
同様に、蓄電装置１において、凸部５１は凹部９１Ｂに嵌り合っている。つまり、側面９１ｇ，９１ｈは、幅方向において側面５１ｂ，５１ｃにそれぞれ対向するとともに当接している。この構成により、保持部材９Ｂが、幅方向において移動することが抑制される。つまり、凸部５１は、幅方向において保持部材９Ｂを係止する係止部（第２係止部）として機能し、凹部９１Ｂは、幅方向において凸部５１と対向する被係止部（第２被係止部）として機能する。これにより、各蓄電セル７Ｂが負極バスバー５に対して幅方向に移動することが抑制される。
【００５０】
また、蓄電装置１において、側面９１ｉ，９１ｊは、積層方向において側面５１ｄ，５１ｅにそれぞれ対向するとともに当接している。この構成により、保持部材９Ｂが、積層方向において移動することが抑制される。つまり、凸部５１は、積層方向において保持部材９Ｂを係止する係止部としても機能し、凹部９１Ｂは、積層方向において凸部５１と対向する被係止部としても機能する。これにより、各蓄電セル７Ｂが負極バスバー５に対して積層方向に移動することが抑制される。以上のことから、幅方向及び積層方向において、負極バスバー５に対する蓄電セル７Ｂの相対的な位置が規定される。
【００５１】
以上説明したように、蓄電装置１では、正極バスバー４の凸部４１と保持部材９Ａの凹部９１Ａとが嵌り合っている。このため、振動によって幅方向に沿って各蓄電セル７Ａに力が加わったとしても、凹部９１Ａの側面９１ｂが幅方向において凸部４１の側面４１ｂと当接し、凹部９１Ａの側面９１ｃが幅方向において凸部４１の側面４１ｃと当接しているので、幅方向における保持部材９Ａの移動が正極バスバー４の凸部４１によって抑制される。これにより、各蓄電セル７Ａが正極バスバー４に対して幅方向に移動することが抑制される。
【００５２】
同様に、蓄電装置１では、負極バスバー５の凸部５１と保持部材９Ｂの凹部９１Ｂとが嵌り合っている。このため、振動によって幅方向に沿って各蓄電セル７Ｂに力が加わったとしても、凹部９１Ｂの側面９１ｇが幅方向において凸部５１の側面５１ｂと当接し、凹部９１Ｂの側面９１ｈが幅方向において凸部５１の側面５１ｃと当接しているので、幅方向における保持部材９Ｂの移動が負極バスバー５の凸部５１によって抑制される。これにより、各蓄電セル７Ｂが負極バスバー５に対して幅方向に移動することが抑制される。
【００５３】
よって、互いに隣り合う蓄電セル７Ａと蓄電セル７Ｂとによって挟持される正極集電板１５及び負極集電板１６も正極バスバー４及び負極バスバー５に対して幅方向に移動することが抑制される。したがって、正極バスバー４と正極集電板１５との溶接部Ｗ１に幅方向に沿って加わるせん断応力を低減することができる。同様に、負極バスバー５と負極集電板１６との溶接部Ｗ２に幅方向に沿って加わるせん断応力を低減することができる。その結果、蓄電装置１の耐振動性を向上させることが可能となる。
【００５４】
なお、側面９１ｂは、幅方向において側面４１ｂと接触していてもよく、離間していてもよい。側面９１ｃは、幅方向において側面４１ｃと接触していてもよく、離間していてもよい。いずれの場合でも、保持部材９Ａが幅方向に移動しようとした際に、側面９１ｂ及び側面９１ｃの少なくともいずれかが、対向する側面（側面４１ｂ又は側面４１ｃ）に当接する。これにより、保持部材９Ａが幅方向において移動することが抑制される。同様に、側面９１ｇは、幅方向において側面５１ｂと接触していてもよく、離間していてもよい。側面９１ｈは、幅方向において側面５１ｃと接触していてもよく、離間していてもよい。いずれの場合でも、保持部材９Ｂが幅方向に移動しようとした際に、側面９１ｇ及び側面９１ｈの少なくともいずれかが、対向する側面（側面５１ｂ又は側面５１ｃ）に当接する。これにより、保持部材９Ｂが幅方向において移動することが抑制される。さらに、側面９１ｄ，９１ｅは、側面４１ｄ，４１ｅと接触していてもよく、離間していてもよい。同様に、側面９１ｉ，９１ｊは、側面５１ｄ，５１ｅと接触していてもよく、離間していてもよい。
【００５５】
次に、図８を参照して、蓄電装置１の製造方法を説明する。図８は、図１に示された蓄電装置の製造方法を示す工程図である。
【００５６】
図８に示されるように、まず、工程Ｓ０１において、セルスタック２が形成される。具体的には、正極集電板１５及び負極集電板１６を交互に介して複数の蓄電セル７が一方向に沿って積層される。より具体的には、正極集電板１５、蓄電セル７Ａ、負極集電板１６、及び蓄電セル７Ｂが、その順に繰り返し積層される。これにより、セルスタック２が形成される。
【００５７】
続いて、工程Ｓ０２において、１対のエンドプレート３が配置される。具体的には、セルスタック２の積層方向における両端に、絶縁緩衝部材１７を介して１対のエンドプレート３が配置される。
【００５８】
続いて、工程Ｓ０３において、正極バスバー４及び負極バスバー５がセルスタック２に配置される。具体的には、正極バスバー４が、セルスタック２の頂面において幅方向の一方側に、積層方向に沿って設けられる。より具体的には、正極バスバー４が、複数の正極集電板１５の正極タブ１５ｂのそれぞれと接触するように、セルスタック２の頂面に配置される。このとき、正極バスバー４の各凸部４１が当該凸部４１に対応する保持部材９Ａの凹部９１Ａに嵌め込まれる。つまり、凸部４１の側面４１ｂ，４１ｃと凹部９１Ａの側面９１ｂ，９１ｃとがそれぞれ当接し、凸部４１の側面４１ｄ，４１ｅと凹部９１Ａの側面９１ｄ，９１ｅとがそれぞれ当接する。これにより、複数の蓄電セル７Ａの幅方向における位置が揃えられ、各蓄電セル７Ａの積層方向における位置が規定される。
【００５９】
同様に、負極バスバー５が、セルスタック２の頂面において幅方向の他方側に、積層方向に沿って設けられる。より具体的には、負極バスバー５が、複数の負極集電板１６の負極タブ１６ｂのそれぞれと接触するように、セルスタック２の頂面に配置される。このとき、負極バスバー５の各凸部５１が当該凸部５１に対応する保持部材９Ｂの凹部９１Ｂに嵌め込まれる。つまり、凸部５１の側面５１ｂ，５１ｃと凹部９１Ｂの側面９１ｇ，９１ｈとがそれぞれ当接し、凸部５１の側面５１ｄ，５１ｅと凹部９１Ｂの側面９１ｉ，９１ｊとがそれぞれ当接する。これにより、複数の蓄電セル７Ｂの幅方向における位置が揃えられ、各蓄電セル７Ｂの積層方向における位置が規定される。
【００６０】
続いて、工程Ｓ０４において、カバー部材６が取り付けられる。具体的には、カバー部材６が、正極バスバー４及び負極バスバー５の間において、積層方向に沿ってセルスタック２の頂面に配置される。そして、爪部６ｂが締結部材Ｅによりエンドプレート３の外側面に固定される。これにより、１対のエンドプレート３を介して、積層方向に沿った拘束荷重がセルスタック２に付加される。
【００６１】
続いて、工程Ｓ０５において、正極バスバー４と正極集電板１５（正極タブ１５ｂ）とが、例えばレーザ溶接によって接合される。これにより、正極バスバー４と正極タブ１５ｂとを接合する溶接部Ｗ１が形成される。同様に、負極バスバー５と負極集電板１６（負極タブ１６ｂ）とが、例えばレーザ溶接によって接合される。これによって、負極バスバー５と負極タブ１６ｂとを接合する溶接部Ｗ２が形成される。
【００６２】
上記工程を経ることによって、蓄電装置１が製造される。なお、工程Ｓ０４と工程Ｓ０５との順番が入れ替わってもよい。カバー部材６は必ずしも取り付けられる必要はないので、工程Ｓ０４は省略され得る。
【００６３】
この蓄電装置１の製造方法では、正極バスバー４を配置する際に、正極バスバー４の凸部４１と保持部材９Ａの凹部９１Ａとを嵌め合わせることにより、複数の蓄電セル７Ａの幅方向における位置が揃えられる。同様に、負極バスバー５を配置する際に、負極バスバー５の凸部５１と保持部材９Ｂの凹部９１Ｂとを嵌め合わせることにより、複数の蓄電セル７Ｂの幅方向における位置が揃えられる。これにより、幅方向における複数の正極集電板１５（正極タブ１５ｂ）及び複数の負極集電板１６の（負極タブ１６ｂ）の位置も揃えられる。この状態で、正極バスバー４が複数の正極集電板１５のそれぞれと接合され、負極バスバー５が複数の負極集電板１６のそれぞれと接合されるので、幅方向において、正極バスバー４に対する各正極集電板１５の位置ずれを低減することができ、負極バスバー５に対する各負極集電板１６の蓄電セル７の位置ずれを低減することができる。
【００６４】
以上、本発明の実施形態について説明したが、本発明は上記実施形態に限定されない。
【００６５】
例えば、上記実施形態では、１つの蓄電装置１は、正極バスバー４及び負極バスバー５を１つずつ備えているが、特にその形態には限られない。１つの蓄電装置１は、複数の正極バスバー４及び複数の負極バスバー５を備えてもよい。
【００６６】
上記実施形態では、正極バスバー４及び負極バスバー５は、セルスタック２に対して高さ方向の同じ側において幅方向に並んで配置されているが、特にその形態には限られない。正極バスバー４は、セルスタック２に対して高さ方向の一方側に配置され、負極バスバー５は、セルスタック２に対して高さ方向の他方側に配置されていてもよい。
【００６７】
上記実施形態では、正極バスバー４と正極集電板１５との接合は、溶接により行われているが、他の手法により行われてもよい。負極バスバー５と負極集電板１６との接合も同様である。
【００６８】
カバー部材６は、絶縁材料によって形成されてもよい。カバー部材６を形成する絶縁材料としては、例えばポリイミド、ＰＰ、ＰＰＳ、又はＰＡ６６等が挙げられる。この場合、正極バスバー４と負極バスバー５とが短絡する可能性を低減することができる。なお、カバー部材６は省略され得る。
【００６９】
正極バスバー４及び負極バスバー５による幅方向における蓄電セル７の位置規定を実現するための構成は、上記実施形態の構成に限られない。例えば、正極バスバー４は、幅方向において保持部材９Ａを係止するための係止部を有していればよく、保持部材９Ａは、幅方向において正極バスバー４の係止部と対向する被係止部を有していればよい。言い換えると、正極バスバー４の係止部と保持部材９Ａの被係止部とが幅方向から見て重なっていればよい。同様に、負極バスバー５は、幅方向において保持部材９Ｂを係止するための係止部を有していればよく、保持部材９Ｂは、幅方向において負極バスバー５の係止部と対向する被係止部を有していればよい。言い換えると、負極バスバー５の係止部と保持部材９Ｂの被係止部とが幅方向から見て重なっていればよい。以下、第１〜第５変形例を説明する。
【００７０】
（第１変形例）
図９の（ａ）及び図９の（ｂ）は、第１変形例に係る蓄電装置の断面図である。図９の（ａ）及び図９の（ｂ）に示される蓄電装置１Ａは、正極バスバー４が複数の凸部４１を備える構成に代えて正極バスバー４に複数の凹部４２が設けられる点、負極バスバー５が複数の凸部５１を備える構成に代えて負極バスバー５に複数の凹部５２が設けられる点、保持部材９Ａに凹部９１Ａが設けられる構成に代えて保持部材９Ａが凸部９２Ａを備える点、及び保持部材９Ｂに凹部９１Ｂが設けられる構成に代えて保持部材９Ｂが凸部９２Ｂを備える点において、蓄電装置１と主に相違する。
【００７１】
凸部９２Ａは、保持部材９Ａの頂面９ａに設けられ、高さ方向に沿って、頂面９ａから正極バスバー４に向かって突出している。凸部９２Ａは、幅方向において負極タブ１６ｂとは反対側に設けられ、正極バスバー４の下に位置する。凸部９２Ａは、高さ方向と交差する頂面９２ａと、幅方向と交差する側面９２ｂ，９２ｃと、積層方向と交差する１対の側面（不図示）と、を有している。
【００７２】
凸部９２Ｂは、保持部材９Ｂの頂面９ａに設けられ、高さ方向に沿って、頂面９ａから負極バスバー５に向かって突出している。凸部９２Ｂは、幅方向において正極タブ１５ｂとは反対側に設けられ、負極バスバー５の下に位置する。凸部９２Ｂは、高さ方向と交差する頂面９２ｆと、幅方向と交差する側面９２ｇ，９２ｈと、積層方向と交差する１対の側面（不図示）と、を有している。
【００７３】
複数の凹部４２は、正極バスバー４の底面４ａに設けられている。複数の凹部４２は、積層方向に沿って配列され、保持部材９（蓄電セル７）に対して１つ置きに設けられる。具体的には、凹部４２は、蓄電セル７Ａに対して設けられ、蓄電セル７Ｂに対しては設けられない。凹部４２は、保持部材９Ａの凸部９２Ａと互いに嵌り合う形状を有している。凹部４２は、高さ方向と交差する底面４２ａと、幅方向と交差する側面４２ｂ，４２ｃと、積層方向と交差する１対の側面（不図示）と、を有している。
【００７４】
複数の凹部５２は、負極バスバー５の底面５ａに設けられている。複数の凹部５２は、積層方向に沿って配列され、保持部材９（蓄電セル７）に対して１つ置きに設けられる。具体的には、凹部５２は、蓄電セル７Ｂに対して設けられ、蓄電セル７Ａに対しては設けられない。凹部５２は、保持部材９Ｂの凸部９２Ｂと互いに嵌り合う形状を有している。凹部５２は、高さ方向と交差する底面５２ａと、幅方向と交差する側面５２ｂ，５２ｃと、積層方向と交差する１対の側面（不図示）と、を有している。
【００７５】
蓄電装置１Ａにおいて、凸部９２Ａは凹部４２に嵌り合っている。つまり、側面９２ｂ，９２ｃは、幅方向において側面４２ｂ，４２ｃにそれぞれ対向するとともに当接している。この構成により、保持部材９Ａが、幅方向において移動することが抑制される。つまり、凹部４２は、幅方向において保持部材９Ａを係止する係止部（第１係止部）として機能し、凸部９２Ａは、幅方向において凹部４２と対向する被係止部（第１被係止部）として機能する。これにより、各蓄電セル７Ａが正極バスバー４に対して幅方向に移動することが抑制される。
【００７６】
積層方向においても同様に、保持部材９Ａが移動することが抑制される。つまり、凹部４２は、積層方向において保持部材９Ａを係止する係止部としても機能し、凸部９２Ａは、積層方向において凹部４２と対向する被係止部としても機能する。これにより、各蓄電セル７Ａが正極バスバー４に対して積層方向に移動することが抑制される。以上のことから、幅方向及び積層方向において、正極バスバー４に対する蓄電セル７Ａの相対的な位置が規定される。
【００７７】
同様に、蓄電装置１Ａにおいて、凸部９２Ｂは凹部５２に嵌り合っている。つまり、側面９２ｇ，９２ｈは、幅方向において側面５２ｂ，５２ｃにそれぞれ対向するとともに当接している。この構成により、保持部材９Ｂが、幅方向において移動することが抑制される。つまり、凹部５２は、幅方向において保持部材９Ｂを係止する係止部（第２係止部）として機能し、凸部９２Ｂは、幅方向において凹部５２と対向する被係止部（第２被係止部）として機能する。これにより、各蓄電セル７Ｂが負極バスバー５に対して幅方向に移動することが抑制される。
【００７８】
積層方向においても同様に、保持部材９Ｂが移動することが抑制される。つまり、凹部５２は、積層方向において保持部材９Ｂを係止する係止部としても機能し、凸部９２Ｂは、積層方向において凹部５２と対向する被係止部としても機能する。これにより、各蓄電セル７Ｂが負極バスバー５に対して積層方向に移動することが抑制される。以上のことから、幅方向及び積層方向において、負極バスバー５に対する蓄電セル７Ｂの相対的な位置が規定される。
【００７９】
よって、蓄電装置１Ａにおいても、蓄電装置１と同様の効果が奏される。また、保持部材９Ａ，９Ｂに集電体１２の端を埋めて保持する場合は、正極バスバー４及び負極バスバー５と集電体１２とが接触して短絡しないように、保持部材９Ａ，９Ｂは、ある程度の厚みを有していることが求められる。この点について、蓄電装置１では、保持部材９Ａ，９Ｂの頂面９ａに凹部９１Ａ，９１Ｂが設けられているので、上述の厚みを確保するために、保持部材９Ａ，９Ｂの頂面９ａ全体の高さ方向の厚みを厚くする必要がある。一方、蓄電装置１Ａでは、保持部材９Ａ，９Ｂの頂面９ａに凹部が設けられていないので、蓄電装置１と比較して、保持部材９Ａ，９Ｂの頂面９ａ全体の高さ方向の厚みを薄くすることができる。
【００８０】
なお、側面９２ｂは、幅方向において側面４２ｂと接触していてもよく、離間していてもよい。側面９２ｃは、幅方向において側面４２ｃと接触していてもよく、離間していてもよい。いずれの場合でも、保持部材９Ａが幅方向に移動しようとした際に、側面９２ｂ及び側面９２ｃの少なくともいずれかが、対向する側面（側面４２ｂ又は側面４２ｃ）に当接する。これにより、保持部材９Ａが幅方向において移動することが抑制される。同様に、側面９２ｇは、幅方向において側面５２ｂと接触していてもよく、離間していてもよい。同様に、側面９２ｈは、幅方向において側面５２ｃと接触していてもよく、離間していてもよい。いずれの場合でも、保持部材９Ｂが幅方向に移動しようとした際に、側面９２ｇ及び側面９２ｈの少なくともいずれかが、対向する側面（側面５２ｂ又は側面５２ｃ）に当接する。これにより、保持部材９Ｂが幅方向において移動することが抑制される。
【００８１】
（第２変形例）
図１０の（ａ）及び図１０の（ｂ）は、第２変形例に係る蓄電装置の断面図である。図１０の（ａ）及び図１０の（ｂ）に示される蓄電装置１Ｂは、正極バスバー４が複数の凸部４１を備える構成に代えて正極バスバー４に複数の貫通孔４３が設けられる点、負極バスバー５が複数の凸部５１を備える構成に代えて負極バスバー５に複数の貫通孔５３が設けられる点、保持部材９Ａに凹部９１Ａが設けられる構成に代えて保持部材９Ａが突出部９３Ａを備える点、及び保持部材９Ｂに凹部９１Ｂが設けられる構成に代えて保持部材９Ｂが突出部９３Ｂを備える点において、蓄電装置１と主に相違する。この例では、各保持部材９Ａは、２つの突出部９３Ａを備えており、正極バスバー４には、１つの保持部材９Ａにつき、２つの貫通孔４３が設けられている。同様に、各保持部材９Ｂは、２つの突出部９３Ｂを備えており、負極バスバー５には、１つの保持部材９Ｂにつき、２つの貫通孔５３が設けられている。
【００８２】
複数の貫通孔４３のそれぞれは、高さ方向に正極バスバー４を貫通する貫通孔である。複数の貫通孔４３は、積層方向に沿って配列され、保持部材９（蓄電セル７）に対して１つ置きに設けられる。具体的には、貫通孔４３は、蓄電セル７Ａに対して設けられ、蓄電セル７Ｂに対しては設けられない。１つの保持部材９Ａに対応する２つの貫通孔４３は、正極バスバー４の幅方向において離間して配置されている。複数の貫通孔５３のそれぞれは、高さ方向に負極バスバー５を貫通する貫通孔である。複数の貫通孔５３は、積層方向に沿って配列され、保持部材９（蓄電セル７）に対して１つ置きに設けられる。具体的には、貫通孔５３は、蓄電セル７Ｂに対して設けられ、蓄電セル７Ａに対しては設けられない。１つの保持部材９Ｂに対応する２つの貫通孔５３は、負極バスバー５の幅方向において離間して配置されている。
【００８３】
突出部９３Ａは、保持部材９Ａの頂面９ａに設けられ、高さ方向に沿って、頂面９ａから正極バスバー４に向かって突出している。２つの突出部９３Ａは、保持部材９Ａの幅方向において離間して配置されている。突出部９３Ａは、貫通孔４３に挿通可能な形状を有している。突出部９３Ａは、例えば、円柱状を呈している。突出部９３Ａは、外周面９３ａを有している。突出部９３Ｂは、保持部材９Ｂの頂面９ａに設けられ、高さ方向に沿って、頂面９ａから負極バスバー５に向かって突出している。２つの突出部９３Ｂは、保持部材９Ｂの幅方向において離間して配置されている。突出部９３Ｂは、貫通孔５３に挿通可能な形状を有している。突出部９３Ｂは、例えば、円柱状を呈している。突出部９３Ｂは、外周面９３ｂを有している。
【００８４】
蓄電装置１Ｂにおいて、突出部９３Ａは貫通孔４３に挿通されており、外周面９３ａは、貫通孔４３を画定する内周面４３ａと全周に亘って対向している。この構成により、保持部材９Ａが、幅方向及び積層方向において移動することが抑制される。つまり、貫通孔４３の内周面４３ａは、幅方向及び積層方向において保持部材９Ａを係止する係止部（第１係止部）として機能し、突出部９３Ａは、幅方向及び積層方向において内周面４３ａと対向する被係止部（第１被係止部）として機能する。これにより、各蓄電セル７Ａが正極バスバー４に対して幅方向及び積層方向に移動することが抑制される。その結果、幅方向及び積層方向において、正極バスバー４に対する蓄電セル７Ａの相対的な位置が規定される。
【００８５】
同様に、蓄電装置１Ｂにおいて、突出部９３Ｂは貫通孔５３に挿通されおり、外周面９３ｂは、貫通孔５３を画定する内周面５３ａと全周に亘って対向している。この構成により、保持部材９Ｂが、幅方向及び積層方向において移動することが抑制される。つまり、貫通孔５３の内周面５３ａは、幅方向及び積層方向において保持部材９Ｂを係止する係止部（第２係止部）として機能し、突出部９３Ｂは、幅方向及び積層方向において内周面５３ａと対向する被係止部（第２被係止部）として機能する。これにより、各蓄電セル７Ｂが負極バスバー５に対して幅方向及び積層方向に移動することが抑制される。その結果、幅方向及び積層方向において、負極バスバー５に対する蓄電セル７Ｂの相対的な位置が規定される。
【００８６】
よって、蓄電装置１Ｂにおいても、蓄電装置１Ａと同様の効果が奏される。なお、各保持部材９Ａが備える突出部９３Ａの数は、２つに限られない。１つの保持部材９Ａにつき正極バスバー４に設けられる貫通孔４３の数は、２つに限られない。同様に、各保持部材９Ｂが備える突出部９３Ｂの数は、２つに限られない。１つの保持部材９Ｂにつき負極バスバー５に設けられる貫通孔５３の数は、２つに限られない。また、突出部９３Ａの外周面９３ａは、貫通孔４３の内周面４３ａと接触していてもよく、離間していてもよい。いずれの場合でも、保持部材９Ａが幅方向に移動しようとすると、外周面９３ａは内周面４３ａと当接するので、保持部材９Ａが幅方向において移動することが抑制される。同様に、突出部９３Ｂの外周面９３ｂは、貫通孔５３の内周面５３ａと接触していてもよく、離間していてもよい。いずれの場合でも、保持部材９Ｂが幅方向に移動しようとすると、外周面９３ｂは内周面５３ａと当接するので、保持部材９Ｂが幅方向において移動することが抑制される。
【００８７】
（第３変形例）
図１１は、第３変形例に係る蓄電装置が備えるセルスタックを部分的に示す平面図である。図１２は、第３変形例に係る蓄電装置の断面図である。図１１及び図１２に示されるように、蓄電装置１Ｃは、負極タブ１６ｂの屈曲方向が正極タブ１５ｂの屈曲方向と逆向きである点、正極バスバー４が複数の凸部４１に代えて凸部４４を備える点、負極バスバー５が複数の凸部５１に代えて凸部５４を備える点、及び保持部材９に凹部９１Ａ，９１Ｂに代えて凹部９４Ａ，９４Ｂが設けられる点において、蓄電装置１と主に相違する。
【００８８】
第３変形例では、保持部材９の頂面９ａ上に、正極タブ１５ｂ及び負極タブ１６ｂの両方が設けられている保持部材９と正極タブ１５ｂ及び負極タブ１６ｂのいずれも設けられていない保持部材９とが積層方向に沿って交互に配置されている。
【００８９】
凸部４４は、正極バスバー４の底面４ａに設けられ、高さ方向に沿って、底面４ａから保持部材９に向かって突出している。凸部４４は、正極バスバー４の幅方向におけるカバー部材６寄りの一端に位置する。凸部４４は、積層方向に沿って延在している。凸部４４は、高さ方向と交差する頂面４４ａと、幅方向と交差する側面４４ｂ，４４ｃと、を有している。
【００９０】
凸部５４は、負極バスバー５の底面５ａに設けられ、高さ方向に沿って、底面５ａから保持部材９に向かって突出している。凸部５４は、負極バスバー５の幅方向におけるカバー部材６寄りの一端に位置する。凸部５４は、積層方向に沿って延在している。凸部５４は、高さ方向と交差する頂面５４ａと、幅方向と交差する側面５４ｂ，５４ｃと、を有している。
【００９１】
保持部材９の頂面９ａには、凹部９４Ａ及び凹部９４Ｂが設けられている。凹部９４Ａ及び凹部９４Ｂは、幅方向に互いに離間して配置されている。凹部９４Ａは、正極バスバー４（凸部４４）の下に位置する。凹部９４Ａは、積層方向に保持部材９を貫通する。凹部９４Ａは、正極バスバー４の凸部４４と互いに嵌り合う形状を有している。凹部９４Ａは、高さ方向と交差する底面９４ａと、幅方向と交差する側面９４ｂ，９４ｃと、を有している。凹部９４Ｂは、負極バスバー５（凸部５４）の下に位置する。凹部９４Ｂは、積層方向に保持部材９を貫通する。凹部９４Ｂは、負極バスバー５の凸部５４と互いに嵌り合う形状を有している。凹部９４Ｂは、高さ方向と交差する底面９４ｄと、幅方向と交差する側面９４ｅ，９４ｆと、を有している。
【００９２】
蓄電装置１Ｃにおいて、凸部４４は凹部９４Ａに嵌り合っている。つまり、側面９４ｂは、幅方向において側面４４ｂに対向するとともに当接している。側面９４ｃは、幅方向において側面４４ｃに対向するとともに当接している。同様に、蓄電装置１Ｃにおいて、凸部５４は凹部９４Ｂに嵌り合っている。つまり、側面９４ｅは、幅方向において側面５４ｂに対向するとともに当接している。側面９４ｆは、幅方向において側面５４ｃに対向するとともに当接している。
【００９３】
この構成により、振動によって幅方向に沿って各蓄電セル７に力が加わったとしても、保持部材９が、幅方向において移動することが抑制される。つまり、凸部４４は、幅方向において保持部材９を係止する係止部（第１係止部、第３係止部）として機能し、凹部９４Ａは、幅方向において凸部４４と対向する被係止部（第１被係止部、第３被係止部）として機能する。同様に、凸部５４は、幅方向において保持部材９を係止する係止部（第２係止部）として機能し、凹部９４Ｂは、幅方向において凸部５４と対向する被係止部（第２被係止部）として機能する。これにより、各蓄電セル７が正極バスバー４及び負極バスバー５に対して幅方向に移動することが抑制される。これにより、幅方向において、正極バスバー４及び負極バスバー５に対する蓄電セル７の相対的な位置が規定される。
【００９４】
よって、蓄電装置１Ｃにおいても、蓄電装置１と同様の効果が奏される。なお、側面９４ｂ，９４ｃ，９４ｅ，９４ｆは、幅方向において側面４４ｂ，４４ｃ，５４ｂ，５４ｃと接触していてもよく、離間していてもよい。いずれの場合でも、保持部材９が幅方向に移動しようとした際に、側面９４ｂ，９４ｃ，９４ｅ，９４ｆの少なくともいずれかが、対向する側面（側面４４ｂ，４４ｃ，５４ｂ，５４ｃ）に当接する。これにより、保持部材９が幅方向において移動することが抑制される。
【００９５】
（第４変形例）
図１３は、第４変形例に係る蓄電装置の断面図である。図１３に示される蓄電装置１Ｄは、正極バスバー４に代えて正極バスバー４Ａを備える点、負極バスバー５に代えて負極バスバー５Ａを備える点、保持部材９に凹部９１Ａ，９１Ｂが設けられていない点において、蓄電装置１と主に相違する。
【００９６】
正極バスバー４Ａは、形状において、正極バスバー４と主に相違する。具体的には、正極バスバー４Ａは、積層方向から見てＬ字状を呈している。正極バスバー４Ａは、保持部材９の頂面９ａ（セルスタック２の頂面）に沿って設けられる第１部分４５と、幅方向における保持部材９の側面９ｂ（セルスタック２の側面）に沿って設けられる第２部分４６と、を有している。
【００９７】
負極バスバー５Ａは、形状において、負極バスバー５と主に相違する。具体的には、負極バスバー５Ａは、積層方向から見てＬ字状を呈している。負極バスバー５Ａは、保持部材９の頂面９ａ（セルスタック２の頂面）に沿って設けられる第１部分５５と、幅方向における保持部材９の側面９ｃ（セルスタック２の側面）に沿って設けられる第２部分５６と、を有している。側面９ｃは、側面９ｂと反対側の面である。
【００９８】
蓄電装置１Ｄにおいて、第１部分４５が頂面９ａに当接するとともに、第２部分４６が側面９ｂに当接する。同様に、蓄電装置１Ｄにおいて、第１部分５５が頂面９ａに当接するとともに、第２部分５６が側面９ｃに当接する。つまり、第１部分４５及び第１部分５５によって各保持部材９の頂面９ａの位置が規定される。そして、第２部分４６によって各保持部材９の側面９ｂの位置が規定され、第２部分５６によって各保持部材９の側面９ｃの位置が規定される。
【００９９】
これにより、高さ方向だけでなく幅方向においても保持部材９が移動することが抑制される。つまり、第２部分４６は、幅方向において保持部材９を係止する係止部（第１係止部、第３係止部）として機能し、側面９ｂは、幅方向において第２部分４６と対向する被係止部（第１被係止部、第３被係止部）として機能する。したがって、各蓄電セル７が正極バスバー４に対して幅方向に移動することが抑制されるので、幅方向において、正極バスバー４に対する蓄電セル７の相対的な位置が規定される。同様に、第２部分５６は、幅方向において保持部材９を係止する係止部（第２係止部）として機能し、側面９ｃは、幅方向において第２部分５６と対向する被係止部（第２被係止部）として機能する。したがって、各蓄電セル７が負極バスバー５に対して幅方向に移動することが抑制されるので、幅方向において、負極バスバー５に対する蓄電セル７の相対的な位置が規定される。
【０１００】
よって、蓄電装置１Ｄにおいても、蓄電装置１Ａと同様の効果が奏される。なお、蓄電装置１Ｄは、正極バスバー４Ａと負極バスバー５とを備えてもよく、正極バスバー４と負極バスバー５Ａとを備えてもよい。また、側面９ｂは、第２部分４６と接触していてもよく、離間していてもよい。同様に、側面９ｃは、第２部分５６と接触していてもよく、離間していてもよい。いずれの場合でも、保持部材９が幅方向に移動しようとすると、側面９ｂ及び側面９ｃの少なくともいずれかが、対向する第２部分（第２部分４６又は第２部分５６）と当接するので、保持部材９が幅方向において移動することが抑制される。
【０１０１】
（第５変形例）
図１４は、第５変形例に係る蓄電装置の断面図である。図１４に示される蓄電装置１Ｅは、正極バスバー４が複数の凸部４１を備えていない点、負極バスバー５が複数の凸部５１を備えていない点、保持部材９に凹部９１Ａ，９１Ｂが設けられる構成に代えて保持部材９が突出部９５Ａ，９５Ｂ，９６Ａ，９６Ｂを備える点において、蓄電装置１と主に相違する。
【０１０２】
正極バスバー４は、幅方向における端面４ｂと端面４ｃとを有している。端面４ｂは幅方向におけるカバー部材６の端面と対向する面である。端面４ｃは、端面４ｂと反対側の面であり、蓄電装置１Ｅの外側を向いている。負極バスバー５は、幅方向における端面５ｂと端面５ｃとを有している。端面５ｂは幅方向におけるカバー部材６の端面と対向する面である。端面５ｃは、端面５ｂと反対側の面であり、蓄電装置１Ｅの外側を向いている。
【０１０３】
突出部９５Ａ，９６Ａは、頂面９ａに設けられ、高さ方向に沿って頂面９ａから突出している。突出部９５Ａ，９６Ａは、幅方向において正極バスバー４を挟むように離間して配置されている。突出部９５Ａはカバー部材６側に位置し、突出部９６Ａは外側に位置する。突出部９５Ａは、幅方向と交差する側面９５ａを有している。突出部９６Ａは、幅方向と交差し、正極バスバー４を介して側面９５ａと対向する側面９６ａを有している。側面９５ａは、幅方向において端面４ｂに対向している。側面９６ａは、幅方向において端面４ｃに対向している。突出部９５Ａ，９６Ａの高さ（高さ方向の長さ）は、正極バスバー４の厚さ（高さ方向の長さ）よりも高い。突出部９５Ａ，９６Ａは、例えば、正極バスバー４の上面よりも上方に突出している。
【０１０４】
突出部９５Ｂ，９６Ｂは、頂面９ａに設けられ、高さ方向に沿って頂面９ａから突出している。突出部９５Ｂ，９６Ｂは、幅方向において負極バスバー５を挟むように離間して配置されている。突出部９５Ｂはカバー部材６側に位置し、突出部９６Ｂは外側に位置する。突出部９５Ｂは、幅方向と交差する側面９５ｂを有している。突出部９６Ｂは、幅方向と交差し、負極バスバー５を介して側面９５ｂと対向する側面９６ｂを有している。側面９５ｂは、幅方向において端面５ｂに対向している。側面９６ｂは、幅方向において端面５ｃに対向している。突出部９５Ｂ，９６Ｂの高さ（高さ方向の長さ）は、負極バスバー５の厚さ（高さ方向の長さ）よりも高い。突出部９５Ｂ，９６Ｂは、例えば、負極バスバー５の上面よりも上方に突出している。
【０１０５】
この構成により、振動によって、正極バスバー４から負極バスバー５に向かう方向の力が各蓄電セル７に加わった場合、突出部９６Ａの側面９６ａが幅方向において端面４ｃと当接するとともに、突出部９５Ｂの側面９５ｂが幅方向において端面５ｂと当接する。このため、保持部材９が、正極バスバー４から負極バスバー５に向かう方向に移動することが抑制される。また、振動によって、負極バスバー５から正極バスバー４に向かう方向の力が各蓄電セル７に加わった場合、突出部９５Ａの側面９５ａが幅方向において端面４ｂと当接するとともに、突出部９６Ｂの側面９６ｂが幅方向において端面５ｃと当接する。このため、保持部材９が、負極バスバー５から正極バスバー４に向かう方向に移動することが抑制される。
【０１０６】
つまり、端面４ｂ，４ｃは、幅方向において保持部材９を係止する係止部（第１係止部、第３係止部）として機能し、突出部９５Ａ，９６Ａは、端面４ｂ，４ｃと幅方向においてそれぞれ対向する被係止部（第１被係止部、第３被係止部）として機能する。同様に、端面５ｂ，５ｃは、幅方向において保持部材９を係止する係止部（第２係止部）として機能し、突出部９５Ｂ，９６Ｂは、端面５ｂ，５ｃと幅方向においてそれぞれ対向する被係止部（第２被係止部）として機能する。これにより、各蓄電セル７が正極バスバー４及び負極バスバー５に対して幅方向に移動することが抑制されるので、幅方向において、正極バスバー４及び負極バスバー５に対する蓄電セル７の相対的な位置が規定される。
【０１０７】
よって、蓄電装置１Ｅにおいても、蓄電装置１と同様の効果が奏される。また、蓄電装置１Ｅでは、突出部９６Ａは、正極バスバー４の上面よりも上方に突出しているので、各突出部９６Ａによって正極バスバー４の端面４ｃが覆われる。これにより、蓄電装置１Ｅが筐体に収容される場合に、正極バスバー４が筐体に接触する可能性を低減することができる。同様に、突出部９６Ｂは、負極バスバー５の上面よりも上方に突出しているので、各突出部９６Ｂによって負極バスバー５の端面５ｃが覆われる。これにより、蓄電装置１Ｅが筐体に収容される場合に、負極バスバー５が筐体に接触する可能性を低減することができる。
【０１０８】
なお、突出部９６Ａの上端は、正極バスバー４の上面よりも低くてもよい。この場合でも、正極バスバー４と筐体との間に、突出部９６Ａが介在することで、正極バスバー４と筐体とのクリアランス（離間距離）を確保することができる。これにより、正極バスバー４が筐体に接触する可能性を低減することができる。同様に、突出部９６Ｂの上端は、負極バスバー５の上面よりも低くてもよい。同様の理由により、負極バスバー５と筐体とのクリアランス（離間距離）を確保することができるので、負極バスバー５が筐体に接触する可能性を低減することができる。
【０１０９】
さらに、蓄電装置１Ｅでは、突出部９５Ａは、正極バスバー４の上面よりも上方に突出しており、突出部９５Ｂは、負極バスバー５の上面よりも上方に突出しているので、各突出部９５Ａによって正極バスバー４の端面４ｂが覆われ、各突出部９５Ｂによって負極バスバー５の端面５ｂが覆われる。これにより、正極バスバー４と負極バスバー５とがカバー部材６を介して短絡する可能性を低減することができる。
【０１１０】
なお、突出部９５Ａの上端は、正極バスバー４の上面よりも低くてもよい。同様に、突出部９５Ｂの上端は、負極バスバー５の上面よりも低くてもよい。この場合でも、正極バスバー４とカバー部材６との間に突出部９５Ａが介在することで、正極バスバー４とカバー部材６とのクリアランス（離間距離）を確保することができ、負極バスバー５とカバー部材６との間に突出部９５Ｂが介在することで、負極バスバー５とカバー部材６とのクリアランス（離間距離）を確保することができる。これにより、正極バスバー４と負極バスバー５とがカバー部材６を介して短絡する可能性を低減することができる。
【０１１１】
なお、保持部材９は、突出部９５Ａ，９５Ｂ，９６Ａ，９６Ｂの少なくともいずれかを備えていればよい。また、側面９５ａ，９６ａ，９５ｂ，９６ｂは、端面４ｂ，４ｃ，５ｂ，５ｃと接触していてもよく、離間していてもよい。いずれの場合でも、保持部材９が幅方向に移動しようとすると、側面９５ａ，９６ａ，９５ｂ，９６ｂの少なくともいずれかが、対向する端面（端面４ｂ，４ｃ，５ｂ，５ｃ）と当接するので、保持部材９が幅方向において移動することが抑制される。
【０１１２】
ところで、図１５に示されるように、２つのセルスタック２が並列接続される場合がある。蓄電装置１Ｆは、２つの蓄電モジュール２０と、蓄電モジュール２０間を電気的に接続するバスバー２１，２２と、を備える。各蓄電モジュール２０として、蓄電装置１Ｅが用いられる。２つの蓄電モジュール２０は、互いに同じ向きで配置され、幅方向に離間して並設される。つまり、一方の蓄電モジュール２０の正極バスバー４と他方の蓄電モジュール２０の負極バスバー５とが幅方向において互いに隣り合う。バスバー２１，２２のそれぞれは、２つの蓄電モジュール２０を電気的に接続する部材である。バスバー２１は、正極バスバー４同士を接続し、バスバー２２は、負極バスバー５同士を接続する。
【０１１３】
ここで、蓄電装置１Ｆを小型化するために、２つの蓄電モジュール２０間の離間距離Ｄ（図１６参照）が短くされる場合がある。この場合、一方の蓄電モジュール２０の正極バスバー４と他方の蓄電モジュール２０の負極バスバー５とが近接するので、正極バスバー４と負極バスバー５とが短絡するおそれがある。正極バスバー４の幅及び負極バスバー５の幅を小さくすることで、短絡する可能性を低減することも考えられるが、正極バスバー４及び負極バスバー５の電気抵抗を低減するために、正極バスバー４の幅及び負極バスバー５の幅を確保することが望まれる。
【０１１４】
図１６に示されるように、蓄電装置１Ｆでは、一方の蓄電モジュール２０の各保持部材９は、突出部９６Ａを備え、他方の蓄電モジュール２０の各保持部材９は、突出部９６Ｂを備えている。このため、各突出部９６Ａによって正極バスバー４の端面４ｃが覆われ、各突出部９６Ｂによって負極バスバー５の端面５ｃが覆われる。これにより、正極バスバー４の幅及び負極バスバー５の幅を小さくすることなく、正極バスバー４と負極バスバー５とが短絡する可能性を低減することができる。
【０１１５】
なお、突出部９６Ａの上端は、正極バスバー４の上面よりも低くてもよい。同様に、突出部９６Ｂの上端は、負極バスバー５の上面よりも低くてもよい。この場合でも、互いに隣り合う正極バスバー４と負極バスバー５との間に、突出部９６Ａ，９６Ｂが介在することで、正極バスバー４と負極バスバー５とのクリアランス（離間距離）を確保することができるので、正極バスバー４と負極バスバー５とが短絡する可能性を低減することができる。
【０１１６】
蓄電装置１Ｃ，１Ｄ，１Ｅ，１Ｆでは、正極バスバー４及び負極バスバー５に対して、積層方向に蓄電セル７が移動し得る。図１７に示されるように、蓄電装置１Ｃ，１Ｄ，１Ｅ，１Ｆの正極バスバー４は、突出部４７をさらに備えてもよい。突出部４７は、底面４ａに設けられ、高さ方向に沿って、底面４ａから下方に突出する。突出部４７は、絶縁緩衝部材１７の外側面１７ａに沿って延びている。
【０１１７】
この構成により、保持部材９が、積層方向において移動することが抑制される。つまり、突出部４７は、積層方向において保持部材９を係止する係止部として機能し、絶縁緩衝部材１７は、積層方向において突出部４７と対向する被係止部として機能する。このため、各蓄電セル７が正極バスバー４に対して積層方向に移動することが抑制される。これにより、積層方向において、正極バスバー４に対する蓄電セル７の相対的な位置が規定される。同様の突出部を負極バスバー５が備えてもよい。この場合、積層方向において、負極バスバー５に対する蓄電セル７の相対的な位置が規定される。
【符号の説明】
【０１１８】
１，１Ａ，１Ｂ，１Ｃ，１Ｄ，１Ｅ…蓄電装置、２…セルスタック、３…エンドプレート、４，４Ａ…正極バスバー（第１バスバー）、４ｂ，４ｃ…端面（第１係止部、第３係止部）、５，５Ａ…負極バスバー（第２バスバー）、５ｂ，５ｃ…端面（第２係止部）、７…蓄電セル、７Ａ…蓄電セル（第１蓄電セル）、７Ｂ…蓄電セル（第２蓄電セル）、９…保持部材、９Ａ…保持部材（第１保持部材）、９Ｂ…保持部材（第２保持部材）、９ａ…頂面、９ｂ…側面（第１被係止部、第３被係止部）、９ｃ…側面（第２被係止部）、１０…バイポーラ電極、１５…正極集電板（第１集電板）、１６…負極集電板（第２集電板）、４１…凸部（第１係止部）、４２…凹部（第１係止部）、４３…貫通孔、４３ａ…内周面（第１係止部）、４４…凸部（第１係止部、第３係止部）、４５…第１部分、４６…第２部分（第１係止部、第３係止部）、５１…凸部（第２係止部）、５２…凹部（第２係止部）、５３…貫通孔、５３ａ…内周面（第２係止部）、５４…凸部（第２係止部）、５５…第１部分、５６…第２部分（第２係止部）、９１Ａ…凹部（第１被係止部）、９１Ｂ…凹部（第２被係止部）、９２Ａ…凸部（第１被係止部）、９２Ｂ…凸部（第２被係止部）、９３Ａ…突出部（第１被係止部）、９３Ｂ…突出部（第２被係止部）、９４Ａ…凹部（第１被係止部、第３被係止部）、９４Ｂ…凹部（第２被係止部）、９５Ａ…突出部（第１被係止部、第３被係止部）、９５Ｂ…突出部（第２被係止部）、９６Ａ…突出部（第１被係止部、第３被係止部）、９６Ｂ…突出部（第２被係止部）、Ｗ１…溶接部、Ｗ２…溶接部。
【図１】
2019186117.tif 000003
【図２】
2019186117.tif 000004
【図３】
2019186117.tif 000005
【図４】
2019186117.tif 000006
【図５】
2019186117.tif 000007
【図６】
2019186117.tif 000008
【図７】
2019186117.tif 000009
【図８】
2019186117.tif 000010
【図９】
2019186117.tif 000011
【図１０】
2019186117.tif 000012
【図１１】
2019186117.tif 000013
【図１２】
2019186117.tif 000014
【図１３】
2019186117.tif 000015
【図１４】
2019186117.tif 000016
【図１５】
2019186117.tif 000017
【図１６】
2019186117.tif 000018
【図１７】
2019186117.tif 000019